(57)【要約】【課題】無駄なコストを発生させることなく、入浴施設の利用者をより楽しませることを実現した浴室用演出装置及び浴室用演出システムを提供する。【解決手段】足浴用流路１２を有する浴室内において演出を行うために設けられ、プラネタリウム装置５１、スピーカ装置５４、アロマ装置５５及び空調装置５７等の演出装置群５０と、演出装置群５０を制御する演出制御装置と、利用者がカードリーダにカードを差し込んだことにより浴室が使用状態か否かを判別するＣＰＵとを備え、演出制御装置は、ＣＰＵが使用状態であると判別した場合に、演出装置群５０を駆動する制御もしくはスタンバイ状態におく制御を行い、ＣＰＵが不使用状態であると判別した場合に、演出装置群５０を停止状態におく制御を行う。【選択図】図３
2007291768.tif 000002
【特許請求の範囲】
【請求項１】
浴室内において各種の演出を行う演出手段と、
前記演出手段を制御する演出制御手段と、
前記浴室が使用状態か否かを判別する判別手段と、
を備える浴室用演出装置であって、
当該演出制御手段は、前記判別手段が使用状態であると判別した場合に、前記演出手段を駆動する制御もしくはスタンバイ状態におく制御を行い、前記判別手段が不使用状態であると判別した場合に、前記演出手段を停止状態におく制御を行うことを特徴とする浴室用演出装置。
【請求項２】
前記演出手段は視覚演出手段を有し、当該視覚演出手段は前記浴室の壁面に星空の映像を表示させるプラネタリウム装置を有し、前記演出制御手段は前記判別手段の判別結果に応じて前記視覚演出手段を制御することを特徴とする請求項１記載の浴室用演出装置。
【請求項３】
前記演出手段は聴覚演出手段を有し、当該聴覚演出手段は音声再生装置と当該音声再生装置から出力される電気信号を音声信号に変換する音声変換装置とを有し、前記演出制御手段は前記判別手段の判別結果に応じて前記聴覚演出手段を制御することを特徴とする請求項１記載の浴室用演出装置。
【請求項４】
前記演出手段は嗅覚演出手段を有し、当該嗅覚演出手段は香気発生装置と当該香気発生装置から発散される香気を前記浴室内に送り込む送風装置とを有し、前記演出制御手段は前記判別手段の判別結果に応じて前記嗅覚演出手段を制御することを特徴とする請求項１記載の浴室用演出装置。
【請求項５】
前記演出手段は触覚演出手段を有し、当該触覚演出手段は前記浴室内の温度を調節する空調装置を有し、前記演出制御手段は前記判別手段の判別結果に応じて前記触覚演出手段を制御することを特徴とする請求項１記載の浴室用演出装置。
【請求項６】
前記浴室内に、利用者の足浴を可能にする温水の流路が設けられていることを特徴とする請求項１〜５のいずれかに記載の浴室用演出装置。
【請求項７】
複数の個室型浴室にそれぞれ設けられ、前記個室型浴室内において各種の演出を行う演出手段、当該演出手段を制御する演出制御手段及び前記個室型浴室が使用状態か否かを判別する判別手段を備える浴室用演出装置と、
前記浴室用演出装置に接続して信号の送受信を行う管理装置とを含む浴室用演出システムであって、
前記管理装置は、前記浴室用演出装置から送られる前記判別手段の判別結果を受信するとともに、前記演出制御手段に対して前記演出手段を駆動させる信号を送信する入出力制御回路を備えたことを特徴とする浴室用演出システム。
【発明の詳細な説明】
【技術分野】
【０００１】
本発明は、入浴者をリラックスさせる浴室空間を形成することに用いられる浴室用演出装置及び浴室用演出システムに関する。
【背景技術】
【０００２】
従来、ストレス解消あるいはリラックスできる空間を得ることを目的として風呂を利用することが多い。また、さらにリラックスできる空間を得るために、温泉地に行ったりあるいは銭湯に行ったりする人達もいる。特に近年、銭湯においても、泡風呂、ジェットバス、電気風呂といったマッサージ機能を有する風呂や、香り付きの風呂、さらには底が浅く仰向けに近い状態で入浴可能な風呂、といった多種多彩な風呂を有する銭湯、いわゆる、スーパー銭湯と称されている銭湯も出現し、人気を集めている。
【０００３】
ところで、スーパー銭湯など入浴施設を提供する側においては、再度訪れる客、すなわちリピーターの確保が重要な課題となる。そのため、入浴施設を提供する側においても、入浴施設の利用者にリラックス感を与えるとともに、入浴者を楽しませるための工夫が必要になってきている。
【０００４】
従来においても、入浴を楽しむために様々な工夫が行われている。例えば、特許文献１には、温泉施設、サウナ、もしくは住宅などの浴槽内に、快い香りを供給することによって、入浴者を楽しませる技術が提案されている。また、特許文献２には、入浴者に快適な送風機能や湯温の調整機能を向上させた浴室空調装置、浴室給湯器及び入浴時間管理装置が提案されている。
【特許文献１】特開２００２−１０２０９２号公報
【特許文献２】特開２００３−３０２０８０号公報
【発明の開示】
【発明が解決しようとする課題】
【０００５】
しかしながら、香りを楽しませるという方法は、ゆず湯に代表されるように昔から行われている手法であり、スーパー銭湯においては必ずといって良いほどに存在する。また、泡風呂、ジェットバスもスーパー銭湯においては多く取り入れられている。このため、施設の利用者に強い印象を与えることができず、利用者がリピーターとして再度訪れるための決め手になりにくいのが現状である。そのため、利用者を楽しませるとともに印象に残るようなさらなる工夫が望まれる。
【０００６】
また、利用者によっては、家族、カップル、仲間同士等限定された人数でかつ限られた空間で入浴することを望む場合がある。このようなニーズに応えるためには、個室型の狭い空間であることが望ましい。
【０００７】
しかし、個室型の浴室の場合には、一見して浴室内に利用者が存在しているか否かを判別することが困難である。そこで、利用者の存在を確認するために係員が浴室に入っていくことは、既に入室している利用者が気分を害するおそれがあり、リピーター確保の障害となる可能性がある。また、利用者が存在しないにもかかわらず、例えば、泡を発生させたり香りを供給したりすることは、泡を発生させる装置を駆動させるために必要なエネルギーや香りを発生させるための材料が無駄に消費されることに繋がり、それに伴い、無駄なコストが発生するおそれがある。特に、香りを発生させるための材料、例えば、アロマオイル、アロマキャンドル、アロマ香と言ったものは比較的高価なものであり、浴室利用者が不在であるにもかかわらず、常に香気を発生させることはコスト面で大きな無駄に繋がるおそれがある。
【０００８】
本発明は、このような問題点を解決し、無駄なコストを発生させることなく、入浴施設の利用者をより楽しませることを実現した浴室用演出装置及び浴室用演出システムを提供することを目的とする。
【課題を解決するための手段】
【０００９】
以上のような目的を達成するために、本発明は、以下のようなものを提供する。
【００１０】
（１）  浴室内において各種の演出を行う演出手段と、
前記演出手段を制御する演出制御手段と、
前記浴室が使用状態か否かを判別する判別手段と、
を備える浴室用演出装置であって、
当該演出制御手段は、前記判別手段が使用状態であると判別した場合に、前記演出手段を駆動する制御もしくはスタンバイ状態におく制御を行い、前記判別手段が不使用状態であると判別した場合に、前記演出手段を停止状態におく制御を行うことを特徴とする浴室用演出装置。
【００１１】
（１）の発明によれば、浴室利用者が、浴室内において各種の演出を楽しむことができる。また、浴室が使用状態であれば、演出手段の駆動する制御もしくはスタンバイ状態におく制御を行い、不使用状態であると判別した場合に、演出手段を停止状態におく制御を行うことにより、無駄に材料やエネルギーを消費させることを防止することが可能になり、演出手段を駆動することによって発生するコストを低減することが可能になる。
【００１２】
（２）  前記演出手段は視覚演出手段を有し、当該視覚演出手段は前記浴室の壁面に星空の映像を表示させるプラネタリウム装置を有し、前記演出制御手段は前記判別手段の判別結果に応じて前記視覚演出手段を制御することを特徴とする浴室用演出装置。
【００１３】
（２）の発明によれば、（１）の発明において、浴室利用者に、身体を温めることによって得られるリラックス感に加えて、プラネタリウム装置によって表示された星空の映像を見ることによって視覚的なリラックス感を与えることが可能になる。
【００１４】
（３）  前記演出手段は聴覚演出手段を有し、当該聴覚演出手段は音声再生装置と当該音声再生装置から出力される電気信号を音声信号に変換する音声変換装置とを有し、前記演出制御手段は前記判別手段の判別結果に応じて前記聴覚演出手段を制御することを特徴とする浴室用演出装置。
【００１５】
（３）の発明によれば、（１）の発明において、浴室利用者に、身体を温めることによって得られるリラックス感に加えて、例えば、虫の声や川の流れの音といった聴覚演出手段が発生する音声によって聴覚的なリラックス感を与えることが可能になる。
【００１６】
（４）  前記演出手段は嗅覚演出手段を有し、当該嗅覚演出手段は香気発生装置と当該香気発生装置から発散される香気を前記浴室内に送り込む送風装置とを有し、前記演出制御手段は前記判別手段の判別結果に応じて前記嗅覚演出手段を制御することを特徴とする浴室用演出装置。
【００１７】
（４）の発明によれば、（１）の発明において、身体を温めることによって得られるリラックス感に加えて、嗅覚演出手段が発生させる香気を嗅ぐことによって、いわゆる、アロマテラピー効果をもたらすことが可能になる。このように、嗅覚的なリラックス感を与えることが可能になる。
【００１８】
（５）  前記演出手段は触覚演出手段を有し、当該触覚演出手段は前記浴室内の温度を調節する空調装置を有し、前記演出制御手段は前記判別手段の判別結果に応じて前記触覚演出手段を制御することを特徴とする浴室用演出装置。
【００１９】
（５）の発明によれば、（１）の発明において、身体を温めることによって得られるリラックス感に加えて、例えば、風の流れといった触覚演出手段が発生させる刺激によって触覚的なリラックス感を与えることが可能になる。
【００２０】
（６）  前記浴室内に、利用者の足浴を可能にする温水の流路が設けられていることを特徴とする請求項１〜５のいずれかに記載の浴室用演出装置。
【００２１】
（６）の発明によれば、（１）乃至（５）の発明において、足浴をしながら演出を楽しむことが可能になる。また、足浴の施設は、全身浴の施設よりも小さくすることが可能となるため、浴室を個室化することが可能になる。その結果、家族、カップル、仲間同士等限定された人数でかつ限られた空間で入浴する、といったニーズに応えることが可能になる。
【００２２】
（７）  複数の個室型浴室にそれぞれ設けられ、前記個室型浴室内において各種の演出を行う演出手段、当該演出手段を制御する演出制御手段及び前記個室型浴室が使用状態か否かを判別する判別手段を備える浴室用演出装置と、前記浴室用演出装置に接続して信号の送受信を行う管理装置とを含む浴室用演出システムであって、前記管理装置は、前記浴室用演出装置から送られる前記判別手段の判別結果を受信するとともに、前記演出制御手段に対して前記演出手段を駆動させる信号を送信する入出力制御回路を備えたことを特徴とする浴室用演出システム。
【００２３】
（７）の発明によれば、浴室利用者が、浴室内において各種の演出を楽しむことができる。また、浴室が使用状態であれば、演出手段の駆動する制御もしくはスタンバイ状態におく制御を行い、不使用状態であると判別した場合に、前記演出手段を停止状態におく制御を行うことにより、演出手段を駆動することによって発生するコストを低減することが可能になる。しかも、管理装置によって外部から演出手段を駆動させたり、あるいはどの浴室が空いているかあるいは入室後どのくらいの時間が経過したかといった情報を取得することが可能になる。
【発明の効果】
【００２４】
本発明によれば、浴室利用者が、浴室内において各種の演出を楽しむことができる。また、浴室が使用状態であれば、演出手段を駆動する制御もしくはスタンバイ状態におく制御を行い、不使用状態であると判別した場合に、演出手段を停止状態におく制御を行うことにより、演出手段を駆動することによって発生するコストを低減することが可能になる。
【発明を実施するための最良の形態】
【００２５】
以下、本発明の実施形態について、図面を参照しながら詳細に説明する。
【００２６】
図１は本発明の浴室用演出装置を有する足浴施設の概要を示す説明図である。足浴施設１は、温水を貯える上流側貯水槽１０及び下流側貯水槽１１と、上流側貯水槽１０及び下流側貯水槽１１を連結し、上流側貯水槽１０に貯えられた温水を下流側貯水槽１１に流下させる複数の足浴用流路１２と、上流側貯水槽１０及び下流側貯水槽１１を連結し、下流側貯水槽１１の温水を上流側貯水槽１０に戻す循環用流路１３と、上流側貯水槽１０に新規の温水を供給するための供給用流路１４とを備えている。
【００２７】
循環用流路１３には、温水に含まれる異物を除去するとともに殺菌処理を行うフィルタ装置１５と、循環用流路１３の温水を上流側貯水槽１０に移動させる循環用ポンプ装置１６が備えられている。さらに、供給用流路１４には新規の温水を上流側貯水槽１０に移動させる供給ポンプ装置１７が備えられている。複数の足浴用流路１２における所定数の足浴用流路１２に対してそれぞれに個室型の浴室が設けられている。また、個室型の浴室に利用した足浴用流路１２以外の複数の足浴用流路１２は共同型の浴室に利用されている。
【００２８】
図１に示す足浴施設１においては、まず、上流側貯水槽１０に供給用流路１４から新規の温水が供給されることにより、上流側貯水槽１０内に温水が貯えられる。上流側貯水槽１０に温水が供給されると、上流側貯水槽１０内に貯えられた温水の一部が複数の足浴用流路１２を通って下流側貯水槽１１に移動することにより、下流側貯水槽１１に温水が貯えられる。下流側貯水槽１１の貯水量が所定量になった時点で循環用ポンプ装置１６を駆動することにより、下流側貯水槽１１に貯えられた温水の一部は循環用ポンプ装置１６によって上流側貯水槽１０に戻される。
【００２９】
下流側貯水槽１１からの温水は、上流側貯水槽１０に戻される際にフィルタ装置１５によって浄化される。この時、フィルタ装置１５から一部の温水を外部に排出することにより、フィルタ装置１５に蓄積された異物を温水とともに排出する。そして、上流側貯水槽１０の貯水量が所定量に到達した後は、上流側貯水槽１０の貯水量を安定させるように供給ポンプ装置１７が駆動、停止される。その結果、温水が上流側貯水槽１０と下流側貯水槽１１との間を循環するようになり、複数の足浴用流路１２において温水が安定して流れるようになる。
【００３０】
図２は本発明の浴室用演出装置及び浴室用演出システムの概略構成を示すブロック図である。複数の個室型の浴室のそれぞれには、複数種類の演出装置からなる演出装置群５０及びこれらの演出装置群５０を制御する演出制御装置７０、さらに使用者情報を取得するカードリーダライタ１００等が設けられている。また、個室型の浴室の外部に、例えば、浴場施設を利用するための総合案内所（いわゆるフロント）や管理室に管理装置２００が設置されている。複数の浴室における演出制御装置７０及びカードリーダライタ１００は、管理装置２００にケーブル等によって互いに接続されており、情報信号や各種コマンド等を互いに送受信可能なシステムとして構築されている。
【００３１】
図３は本発明の演出制御装置及び管理装置の概略構成を示すブロック図である。複数種類の演出装置群５０として、浴室の壁面に星空の映像を表示させるプラネタリウム装置５１、浴室内の照明装置５２、記録媒体に記録されている音声データを電気信号として出力する音声再生装置５３と、音声再生装置５３から出力される電気信号を音声信号に変換するスピーカ装置５４、香気を発散させるアロマ装置５５、このアロマ装置５５から発散される香気を浴室内に送り込む送風装置５６、及び浴室内の温度や湿度を調節する空調装置５７が設けられている。
【００３２】
本実施形態においては、演出装置群５０として、プラネタリウム装置５１、照明装置５２、音声再生装置５３、スピーカ装置５４、アロマ装置５５、送風装置５６、及び空調装置５７を設けたがこれらの装置を全て設ける必要はなく、また、これらの装置に限るものではない。
【００３３】
演出制御装置７０は、演出装置群５０を含む浴室に設けられた各種装置の制御を行うＣＰＵ７１、演出装置群５０を含む浴室に設けられた各種装置を制御するためのプログラムが記憶されているＲＯＭ７２、ＣＰＵ７１が各種の処理を行うための作業フィールドとなるＲＡＭ７３、浴室外に設置されたカードリーダライタ１００や管理装置２００との間でデータやコマンドの送受信を行う送受信用ＩＣ７４等によって構成される。また、浴室内には、演出装置群５０の他にも、浴室利用者の操作に応じてＣＰＵ７１に各種のコマンドを送信する操作パネル８０、利用者の音声信号を電気信号に変換するマイク装置８１等が備えられている。ＲＯＭ７２には、各種装置を制御するためのプログラムが複数種類記憶されている。例えば、高年齢層であれば照明を明るく、浴室温度を高めにし、お茶の香りを出すように演出装置群５０を制御するプログラム、若年層であれば照明及び浴室温度を通常にし、花の香りを出すように演出装置群５０を制御するプログラム、多い人数であれば、浴室温度を低めにし、消臭効果がある香りを出すように演出装置群５０を制御するプログラム、さらには春夏秋冬それぞれの季節感を演出するように演出装置群５０を制御するプログラムなどが用意されている。他にも、例えば、利用終了時間５分前に、「利用終了５分前です」といった音声を、利用終了時間に到達した時点で、「利用終了です」といった音声を、スピーカ装置５４を介して出力させるための利用時間報知用プログラムや、音声データが記憶されている。また、ＲＡＭ７３には、他にも、演出装置群５０を制御するプログラムとして、利用者の希望によって作成されたプログラムや、浴場施設のイベントとして特別に利用者に提供するプログラム、さらに利用時間内において一連のストーリー性を有する演出を行うプログラムなどが記憶される。
【００３４】
管理装置２００は、管理制御装置２１０、操作パネル２２０、表示装置２３０、カード発行装置２４０、マイク装置２５０、音声出力装置２６０等によって構成される。管理制御装置２１０は、表示装置２３０、カード発行装置２４０、マイク装置２５０、音声出力装置２６０等は管理制御装置２１０によって制御されるものである。また、管理制御装置２１０からは、演出制御装置７０に対して信号を送ることによって、演出装置群５０を制御することが可能である。また、操作パネル２２０は管理者等の操作に応じて各種のコマンドを発生して管理制御装置２１０に送信するものである。表示装置２３０は、個室型の浴室の空き状態や、演出装置群５０の状態等各種情報を表示するものである。カード発行装置２４０は、カードリーダライタ１００によって情報が読み書きされる記録媒体となるカードを発行するものである。マイク装置２５０は、係員等の音声を入力して電気信号に変換するものである。音声出力装置２６０は、マイク装置２５０を介して入力された音声信号を音声出力するものである。管理制御装置２１０は、ＣＰＵ２１１、管理装置２００に設けられている各種装置を制御するためのプログラムが記憶されているＲＯＭ２１２、演出制御装置７０から取得した各種のデータを記憶するとともに、ＣＰＵ２１１が各種の処理を行うための作業フィールドとなるＲＡＭ２１３、カードリーダライタ１００や演出制御装置７０との間でデータやコマンドの送受信を行う送受信用ＩＣ２１４等によって構成される。
【００３５】
図４は浴室の概略構成を示す説明図である。浴室の壁面において、天井面は球面を水平及び垂直方向に１／４分割した形状の球面状に形成されている。この球面の中心付近にプラネタリウム装置５１が配置されている。このプラネタリウム装置５１は、１／４分割した球面を複数の正六角形に仮想分割し、複数の正六角形の領域にそれぞれ対応して星空の映像を投影する複数の投影装置を、球形状の本体に設置したものである。そして、プラネタリウム装置５１が有する投影装置を駆動することにより、浴室の天井面に星空を再現することができる。さらに、プラネタリウム装置５１の球形状の本体を回転させることにより、星空の動きを再現することができる。
【００３６】
本実施形態の浴室における、天井面を形成する球面の中心付近を含む壁面にはガラス板のような透明部材６０が設けられており、プラネタリウム装置５１は浴室外において透明部材６０に対向させて配置される。そして、プラネタリウム装置５１はこの透明部材６０を介して天井面に星空の映像を投影する。この時、透明部材がプラネタリウム装置５１への水蒸気の移動を遮断することによって、プラネタリウム装置５１への水蒸気の付着が防止される。また、透明部材６０の直上には空調装置５７が配置されている。この空調装置５７は、温風や冷風を送ったり除湿を行ったりすることにより、浴室内の温度や湿度を制御するものである。また、空調装置５７は、下方に送風する機能を有しており、この下方への送風によって、透明部材６０表面に結露が発生することが防止される。空調装置５７の上方にはスピーカ装置５４が設けられている。このため、空調装置５７の送風によってスピーカ装置５４に移動する水蒸気の量を低減することが可能になり、しかも、比較的高い位置に設けられるために、スピーカ装置５４に水蒸気が付着することを低減することができる。
【００３７】
次に、個室型の浴室を利用するまでの流れについて説明する。まず、利用者は、フロントに用意されている申込書に、代表者、利用者、性別、年齢等といった個人情報、さらに利用時間、アロマ装置５５に発生させる香りの種類、予め注文する飲食物といった希望情報を記入し、申込書をフロントに提出する。フロント係員は、申込書に基づいて個人情報や希望情報を、操作パネル２２０を介して入力し、そのデータをＲＡＭ２１３に記憶するとともに、利用者に対して固有の識別番号を設定し、この識別番号を記憶した利用カードをカード発行装置２４０によって発行する。そして、図５に示すように、利用者は利用カードを持って空いている個室型の浴室まで移動し、個室型の浴室の入口近傍に設置されているカードリーダライタ１００に利用カードを差し込むことにより個室型の浴室の利用が可能になる。
【００３８】
カードリーダライタ１００に利用カードが差し込まれると、カードリーダライタ１００は、利用カードから識別番号が読み取られる。識別番号の読み取りが成功した場合には、カードリーダライタ１００から利用開始信号が、演出制御装置７０及び管理制御装置２１０に送信される。さらに、カードリーダライタ１００は、利用カードに、利用施設名及び利用開始時間といった利用開始情報を記録する。
【００３９】
演出制御装置７０のＣＰＵ７１は、カードリーダライタ１００から利用開始信号が出力されたか否かを監視しており、出力されていない場合には、浴室に利用者がいないものと判断し、空調装置５７を除く演出装置群５０を停止状態とする処理を行う。また、カードリーダライタ１００から利用開始信号が出力された場合には、浴室に利用者がいるものと判断し、演出装置群５０を駆動する制御もしくはスタンバイ状態とする処理を行う。さらに、ＣＰＵ７１は、カードリーダライタ１００に、利用カードから読み取った識別番号を要求するコマンドを出力し、カードリーダライタ１００から識別番号を取得する処理を行う。さらに、ＣＰＵ７１は、管理制御装置２１０に識別番号に対応した個人データを要求するコマンドを出力し、管理制御装置２１０から個人情報及び希望情報を取得し、これらの情報及び利用可能時間をＲＡＭ７３に記憶する処理を行う。そして、ＣＰＵ７１は、希望情報として登録されている演出を行う演出装置群５０を駆動させる処理を行うとともに、それ以外の演出装置群５０はいつでも駆動可能なスタンバイ状態におく処理を行う。ここで、演出に関する希望情報がない場合には、ＣＰＵ７１は、ＲＯＭ７２に記憶されているプログラムの中から個人情報に基づいて自動的に選択し、このプログラムに基づいて演出装置群５０を駆動させる処理を行う。なお、スタンバイ状態の演出装置群５０は、操作パネル８０の操作によって駆動させることが可能になる。なお、操作パネル８０は、壁面に固定して有線で演出制御装置７０に入力信号を送るようにしても良いし、ワイヤレスリモコン機能を含めて無線で演出制御装置７０に入力信号を送るようにしても良い。
【００４０】
また、ＣＰＵ７１は利用開始信号を検知すると、利用時間の計時を開始する処理を行う。そして、ＣＰＵ７１は、利用時間を監視しながら、予め設定されているイベント時間に到達したか否かを判断する。イベント時間に到達した時点で、ＲＯＭ７２又はＲＡＭ７３に記憶されている所定のプログラムを実行し、演出装置群５０を制御する処理を行う。例えば、利用可能時間を２５分に設定した場合、ＣＰＵ７１は、２０分を計時した時点で、終了時間が５分前である旨を、スピーカ装置５４を介して音声出力させる処理を行うとともに、終了時間が５分前である旨の情報信号を管理装置２００に送信する。そして、ＣＰＵ７１は、２５分を計時した時点で、利用終了である旨を利用者に報知する処理とともに、演出装置群５０を初期状態に戻す処理を行う。すなわち、初期状態に戻す処理としてＣＰＵ７１は、空調装置５７を除く演出装置群５０を停止状態とする処理を行うとともに、カードリーダライタ１００から利用開始信号が出力されたか否かの監視状態とする処理を行う。
【００４１】
また、浴室の利用中において、ＣＰＵ７１は、所定の時間間隔で演出装置群５０にステータス情報を取得するためのコマンドを送信する処理を行う。このコマンドを受信した演出装置群５０はステータス情報を演出制御装置７０に送信する。ＣＰＵ７１は、演出装置群５０から受信したステータス情報をＲＡＭ７３に記憶する処理を行う。そして、ＣＰＵ７１は、ＲＡＭ７３に記憶されたステータス情報を管理装置２００に送信する処理を行う。ここで、ステータス情報は、演出装置群５０における各種の演出装置に関する個別の情報、すなわち稼働中、スタンバイ状態あるいは故障中等の状態に関する情報、特に、アロマ装置５５においては香料の消費量に関する情報、空調装置５７においては現在の設定状態に関する情報等からなるものである。
【００４２】
管理装置２００においては、演出制御装置７０から情報信号を受信したとき、ＣＰＵ２１１は、その内容を解析して表示装置２３０に表示する処理を行う。例えば、終了時間が５分前である旨の情報信号を管理装置２００が受信したとき、ＣＰＵ２１１は、利用時間が５分前である旨を、情報信号が発信された浴室の番号とともに表示装置２３０に表示して、フロント係員に報知する処理を行う。また、演出制御装置７０からステータス情報信号を管理装置２００が受信したとき、ＣＰＵ２１１は、ステータス情報を表示装置２３０に表示して、フロント係員に演出装置群５０の稼働状態を報知する処理を行う。この表示を見たフロント係員は、必要に応じて浴室係員に連絡を取って、浴室の清掃や点検等の作業を行うように指示を出す。浴室係員は、作業中である旨及び作業終了の旨の情報を管理装置２００に送るためのカードを持っており、浴室係員がこのカードをカードリーダライタ１００に差し込むことにより、カードリーダライタ１００から作業中である旨の情報信号が管理装置２００に送られる。作業中である旨の情報信号を管理装置２００が受信したとき、ＣＰＵ２１１は、作業中である旨を情報信号が発信された浴室の番号とともに表示装置２３０に表示して、フロント係員に報知する処理を行う。そして、浴室係員は、作業を終了した後、浴室係員がカードをカードリーダライタ１００に差し込むことにより、作業終了である旨の情報信号が管理装置２００に送られる。作業終了である旨の情報信号を受信した管理装置２００において、ＣＰＵ２１１は、作業終了である旨を情報信号が発信された浴室が使用可能になったことを示す画像を表示装置２３０に表示して、浴室が使用可能になったことをフロント係員に報知する処理を行う。そして、フロント係員は、浴室の利用希望者に浴室の案内を行う。
【００４３】
また、足浴施設を利用した利用者は、精算時にカードをフロントに提出する。フロントにおいては、図示しない精算装置に設けられたカードリーダにカードを差し込み、識別番号を読み取らせ、この識別番号に対応する施設の利用記録に基づいて料金を計算し、利用者に提示する。
【００４４】
図６は浴室の使用例を示す説明図である。図６はプラネタリウム装置５１を利用している場合を示すものであり、プラネタリウム装置５１を駆動することにより、天井の壁面に星空が投影される。同時に、スピーカ装置５４から川のせせらぎの音や虫の声といった音声を出力させたり、花の香りをアロマ装置５５に発生させて浴室内に送り込んだり、さらに空調装置５７によって浴室内に風を発生させたりすることが可能である。これにより、利用者は、足浴用流路１２両側の縁部に腰掛けて、足浴用流路１２を流れる温水に足を浸すことによって足浴を行いながら、利用者の視覚、聴覚、嗅覚、触覚を刺激することにより、リラックス感を高めることが可能になる。
【００４５】
また、操作パネル８０には、プラネタリウム装置５１の投影部を回転制御するための制御信号や、星座の図柄の表示を指示する信号、さらに月や太陽等の表示を指示する入力部が備えられている。また、スピーカ装置５４に発生させる音声を指定するための入力部、アロマ装置５５に発生させる香りを指定する入力部、さらに空調装置５７による送風量を指定する入力部が備えられている。利用者は、操作パネル８０を操作することによって、各種の演出装置群５０を制御することが可能となる。
【００４６】
また、操作パネル８０には、フロントと連絡を取るためのボタンが用意されており、利用者がこのボタンを押すことによって発生した呼び出し信号が、演出制御装置７０を介して管理制御装置２１０に送信され、呼び出し信号が発信された浴室に関する情報が表示装置２３０に表示される。フロントでは係員が表示装置２３０の表示を見て、操作パネル２２０を操作することにより、管理制御装置２１０のＣＰＵ２１１及びＣＰＵ２１１を介して演出制御装置７０のＣＰＵ７１にコマンドが出力され、ＣＰＵ７１及びＣＰＵ２１１は、マイク装置８１とマイク装置２５０、及びスピーカ装置５４及び音声出力装置２６０を用いた音声会話が可能な状態にする処理を行う。これにより、浴室の利用者は、例えば、緊急を要する事態が発生した場合の連絡、飲食物の注文、及び演出装置群５０の故障といったクレーム等を、音声によってフロント係員に伝達することができる。同様に、フロント側から利用者に対して、利用時間延長の案内等を、音声によって伝達することができる。
【００４７】
ところで、前述した実施形態は、フロントにおける利用客の申し込みに応じて利用カードを発行したが、本発明は、それに限るものではなく、電話やインターネットを介して予約があり、利用カード発行に必要な情報が得られた場合には、利用者が施設に来場する前に利用カードを予め発行することができる。また、インターネットを介して予約をする場合には、演出内容を予め細かく設定しておくことが可能になる。例えば、インターネットが利用可能なコンピュータ装置において、コンピュータ装置の表示装置に利用可能な各種の項目をブラウザで表示させる。そして、浴室施設の利用者となるブラウザの閲覧者は、閲覧者の入力操作によって、住所、氏名、年齢といった個人データや、利用日、利用時間、利用したい項目を選択あるいは文字入力する。例えば、プラネタリウム装置５１を駆動する際の夕暮れや夜明けのタイミング、アロマ装置５５に発生させる香りの種類、音声演出に使用する音楽、その他浴室内の装飾など、利用者の目的や嗜好に応じた演出内容を入力する。必要事項を入力した後、送信を指定する操作を行う。この操作によって、各種の入力事項は所定のフォーマットに自動的にまとめられ、電子メールによって管理装置２００に送られる。施設側においては、送信された電子メールを見ることにより、予め準備するべき内容を把握することができる。
【００４８】
例えば、プロポーズを目的として施設の利用を希望する利用者がいるとする。この利用者は、インターネットによる申し込みの際に、希望事項として、浴室内を南国風に装飾する。テーブルと飲料物を用意する。ペアのアロハシャツを用意する。演出内容としては、プラネタリウム装置５１によって南十字星を投影する。入室後５分間は明るい照明とし、次の２分間で照明を徐々に暗くするとともに、徐々に星空を映す。終了予定７分前に照明を徐々に明るくするとともに徐々に星空を消して、５分前には明るい照明とする。ハイビスカスの香りを発生させる。波の音を流す。操作パネル８０によって指定の音楽に切り替え可能にする。このような内容を、インターネットを介して浴場施設側に予め伝達する。
【００４９】
浴場施設側においては、利用者の希望に添った環境の浴室を用意しておくとともに、利用カードを発行しておく。また、利用者の希望に添ってプラネタリウム装置５１や照明装置５２を駆動させるプログラムを作成し、ＲＡＭ７３に記憶しておく。なお、用意した浴室には予約した利用者以外は使用できないようにする。例えば、カードリーダライタ１００に識別番号の照会機能を設け、カードリーダライタ１００に読み取った識別番号と、カードリーダライタ１００が有する記憶手段（図示せず）に記憶された利用者の識別番号とを照合し、一致した場合にのみ入室可能にする。
【００５０】
そして、利用者が来場したときに、予め用意した利用カードを渡すとともに、準備された浴室番号を伝える。利用者が利用カードをカードリーダライタ１００に差し込み、識別番号が認識された時点で浴室の利用が可能になるとともに、ＲＡＭ７３に記憶されたプログラムが実行され、利用者の希望に添った演出が浴室内において実行される。
【００５１】
このように、本実施形態によれば、また、浴室利用者に、各種の演出装置群５０を駆動することによって、足浴によるリラックス感の他に、視覚、聴覚、嗅覚、触覚を刺激してさらにリラックス感を与えることが可能になり、浴室利用者により強い印象を与えることが可能な新たな浴室空間を形成することが可能になる。また、浴室が使用状態であれば、演出装置群５０を駆動する制御もしくはスタンバイ状態におく制御を行い、不使用状態であると判別した場合に、演出装置群５０を停止状態におく制御を行うことにより、演出装置群５０を駆動することによって発生するコストを低減することが可能になる。また、利用者が体感することができなかった演出があったり、逆に十分に楽しむことができた場合には、その利用者に再度施設を利用しようという思いを喚起させることができる。
【００５２】
また本実施形態によれば、演出装置群５０による演出を主なる目的として浴室を利用することも可能であり、リラックス感を得ることを目的とする以外にも、多目的な利用が可能になる。
【００５３】
なお、上述した本実施形態によれば、演出装置群５０として６種類の装置を挙げたが、本発明の演出装置は前述したものに限るものではない。例えば、映像再生装置及びプロジェクタを設け、映画やスライド写真の映像を浴室の壁面に表示させて良い。さらには、霧を発生させるミスト発生装置やドライアイスを利用したスモーク発生装置も、特殊演出として使用可能である。
【００５４】
また、上述した本実施形態によれば、プラネタリウム装置５１による星空の映像をより正確に再現するために、浴室の天井面を１／４の球形に形成したが、本発明はこれに限るものではない。例えば、天井面を半球状に形成し、半球の中心にプラネタリウム装置５１を配置しても良い。この場合、プラネタリウム装置５１を半球の中心に配置するために、天井面の頂点に開閉部を設け、この開閉部からプラネタリウム装置５１を上下方向に出し入れすることにより、プラネタリウム装置５１を半球の中心に配置するようにしても良い。なお、浴室の天井面が平面であり、側壁面が天井面に対して垂直である場合には、星空の映像を正確に再現することが困難であるが、星空の雰囲気を十分に出すことが可能である。この場合には、プラネタリウム装置５１として、微小孔が表面に形成された球体内部に光源を設け、この光源からの光を、微小孔を通すことによって絞り込み、浴室の壁面に光点を形成する、いわゆるピンホール型のプラネタリウム装置を用いることも可能である。
【００５５】
また、上述した本実施形態によれば、足浴用流路１２が直線状であるが、本発明はこれに限るものではない。例えば、図７に示すように、円周状に形成し、この円周の内部にテーブル等を載置できるように構成しても良い。
【００５６】
また、上述した本実施形態によれば、浴室において足浴を行うものを例として説明したが、本発明は足浴に限るものではなく、一般的な全身浴の浴室であっても良いことは言うまでもない。
【産業上の利用可能性】
【００５７】
本発明は、銭湯、スーパー銭湯、温泉旅館の入浴施設等に利用可能である。
【図面の簡単な説明】
【００５８】
【図１】本発明の浴室用演出装置を有する足浴施設の概要を示す説明図である。
【図２】本発明の浴室用演出装置及び浴室用演出システムの概略構成を示すブロック図である。
【図３】本発明の浴室用演出システムにおける演出制御装置及び管理装置の概略構成を示すブロック図である。
【図４】本発明の浴室用演出装置を有する浴室の概略構成を示す説明図である。
【図５】本発明の浴室用演出装置を有する浴室の入口付近を示す図である。
【図６】本発明の浴室用演出装置を有する浴室の使用例を示す説明図である。
【図７】本発明の浴室用演出装置を有する浴室における足浴用流路の一例を示す説明図である。
【符号の説明】
【００５９】
１  足浴施設
１０  上流側貯水槽
１１  下流側貯水槽
１２  足浴用流路
１３  循環用流路
１４  供給用流路
１５  フィルタ装置
１６  循環用ポンプ装置
１７  供給ポンプ装置
５０  演出装置群
５１  プラネタリウム装置
５２  照明装置
５３  音声再生装置
５４  スピーカ装置
５５  アロマ装置
５６  送風装置
５７  空調装置
７０  演出制御装置
７１、２１１  ＣＰＵ
７２、２１２  ＲＯＭ
７３、２１３  ＲＡＭ
７４、２１４  送受信用ＩＣ
８０  操作パネル
８１  マイク装置
１００  カードリーダライタ
２００  管理装置
２１０  管理制御装置
２２０  操作パネル
２３０  表示装置
２４０  カード発行装置
２５０  マイク装置
２６０  音声出力装置
【図１】
2007291768.tif 000003
【図２】
2007291768.tif 000004
【図３】
2007291768.tif 000005
【図４】
2007291768.tif 000006
【図５】
2007291768.tif 000007
【図６】
2007291768.tif 000008
【図７】
2007291768.tif 000009